【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
ＬＴＥ−Ｕにおいてクリアチャネルアセスメント（ＣＣＡ）を実行するための方法であって、
ＣＣＡのために確保されたリソースでの送信のためにモニタすることと、
ＣＣＡのために確保された前記リソースにおける割り当てられたスロットよりも短い持続時間にわたる前記送信のエネルギーを検出することと、
前記モニタすることに基づいてクリアチャネルを検出することに基づいて、ＣＣＡのためにワイヤレスエンティティに割り当てられたスロットでビーコンを送信することと、
連続した多数のＣＣＡ期間の間に前記送信を検出することに基づいて、前記ビーコン送信および前記モニタすることのためのタイミングを適合させること、ここにおいて、前記ビーコン送信を適合させることは、ＣＣＡのために確保された予備リソースで前記ビーコンを送信することを備える、と
を備える方法。
【請求項２】
前記より短い持続時間は、前記割り当てられたスロットの両端の少なくとも１つのガード期間に基づく、
請求項１に記載の方法。
【請求項３】
前記送信は、直交周波数分割多重（ＯＦＤＭ）シンボル境界の前に第１の所定時間オフセットを持つオフタイム期間と、前記ＯＦＤＭシンボル境界の後に第２の所定時間オフセットを持つオン期間とを有するタイミングマスクに従う、
請求項１に記載の方法。
【請求項４】
ＰＬＭＮ内ノードによるブロッキングを決定するために、前記送信のタイミングにバイアスをかけることをさらに備える、
請求項１に記載の方法。
【請求項５】
前記モニタすることに基づいてクリアチャネルを検出することに応答して、ＣＣＡのために移動局に割り当てられたスロットでのビーコンの送信のために最大電力に調整することをさらに備える、
請求項１に記載の方法。
【請求項６】
ＬＴＥ−Ｕにおいてクリアチャネルアセスメント（ＣＣＡ）を実行するための装置であって、
ＣＣＡのために確保されたリソースでの送信のためにモニタするための手段と、
ＣＣＡのために確保された前記リソースにおける割り当てられたスロットよりも短い持続時間にわたる前記送信のエネルギーを検出するための手段と、
前記モニタすることに基づいてクリアチャネルを検出することに基づいて、ＣＣＡのためにワイヤレスエンティティに割り当てられたスロットでビーコンを送信するための手段と、
連続した多数のＣＣＡ期間の間に前記送信を検出することに基づいて、前記ビーコン送信および前記モニタすることのためのタイミングを適合させるための手段、ここにおいて、前記ビーコン送信を適合させることは、ＣＣＡのために確保された予備リソースで前記ビーコンを送信することを備える、と
を備える装置。
【請求項７】
前記より短い持続時間は、前記割り当てられたスロットの両端の少なくとも１つのガード期間に基づく、
請求項６に記載の装置。
【請求項８】
前記送信は、直交周波数分割多重（ＯＦＤＭ）シンボル境界の前に第１の所定時間オフセットを持つオフタイム期間と、前記ＯＦＤＭシンボル境界の後に第２の所定時間オフセットを持つオン期間とを有するタイミングマスクに従う、
請求項６に記載の装置。
【請求項９】
ＰＬＭＮ内ノードによるブロッキングを決定するために、前記送信のタイミングにバイアスをかけるための手段をさらに備える、
請求項６に記載の装置。
【請求項１０】
前記モニタすることに基づいてクリアチャネルを検出することに応答して、ＣＣＡのために移動局に割り当てられたスロットでのビーコンの送信のために最大電力に調整するための手段をさらに備える、
請求項６に記載の装置。
【請求項１１】
ＬＴＥ−Ｕにおいてクリアチャネルアセスメント（ＣＣＡ）を実行するための装置であって、
ＣＣＡのために確保されたリソースでの送信をモニタするために構成された少なくとも１つのトランシーバと、
ＣＣＡのために確保された前記リソースにおける割り当てられたスロットよりも短い持続時間にわたる前記送信のエネルギーを検出するために構成された少なくとも１つのプロセッサ、ここにおいて、前記少なくとも１つのトランシーバは、前記モニタすることに基づいてクリアチャネルを検出することに基づいて、ＣＣＡのためにワイヤレスエンティティに割り当てられたスロットでビーコンを送信するためにさらに構成され、前記少なくとも１つのプロセッサは、連続した多数のＣＣＡ期間の間に前記送信を検出することに基づいて、前記ビーコン送信および前記モニタすることのためのタイミングを適合させるためにさらに構成され、ここにおいて、前記ビーコン送信を適合させることは、ＣＣＡのために確保された予備リソースで前記ビーコンを送信することを備える、と、
前記少なくとも１つのプロセッサに結合された、データを記憶するためのメモリと
を備える装置。
【請求項１２】
前記より短い持続時間は、前記割り当てられたスロットの両端の少なくとも１つのガード期間に基づく、
請求項１１に記載の装置。
【請求項１３】
前記送信は、直交周波数分割多重（ＯＦＤＭ）シンボル境界の前に第１の所定時間オフセットを持つオフタイム期間と、前記ＯＦＤＭシンボル境界の後に第２の所定時間オフセットを持つオン期間とを有するタイミングマスクに従う、
請求項１１に記載の装置。
【請求項１４】
前記少なくとも１つのプロセッサは、ＰＬＭＮ内ノードによるブロッキングを決定するために、前記送信のタイミングにバイアスをかけるためにさらに構成される、
請求項１１に記載の装置。
【請求項１５】
前記少なくとも１つのプロセッサは、前記モニタすることに基づいてクリアチャネルを検出することに応答して、ＣＣＡのために移動局に割り当てられたスロットでのビーコンの送信のために最大電力に調整するためにさらに構成される、
請求項１１に記載の装置。
【請求項１６】
命令を記憶した非一時的コンピュータ可読媒体であって、前記命令は、
少なくとも１つのコンピュータによって実行されたとき、前記少なくとも１つのコンピュータに、
クリアチャネルアセスメント（ＣＣＡ）のために確保されたリソースでの送信をモニタすることと、
ＣＣＡのために確保された前記リソースにおける割り当てられたスロットよりも短い持続時間にわたる前記送信のエネルギーを検出することと、
前記モニタすることに基づいてクリアチャネルを検出することに基づいて、ＣＣＡのためにワイヤレスエンティティに割り当てられたスロットでビーコンを送信することと、
連続した多数のＣＣＡ期間の間に前記送信を検出することに基づいて、前記ビーコン送信および前記モニタすることのためのタイミングを適合させること、ここにおいて、前記ビーコン送信を適合させることは、ＣＣＡのために確保された予備リソースで前記ビーコンを送信することを備える、と
を行わせる１つまたは複数の命令を備える、
非一時的コンピュータ可読媒体。
【請求項１７】
前記より短い持続時間は、前記割り当てられたスロットの両端の少なくとも１つのガード期間に基づく、
請求項１６に記載の非一時的コンピュータ可読媒体。
【請求項１８】
前記送信は、直交周波数分割多重（ＯＦＤＭ）シンボル境界の前に第１の所定時間オフセットを持つオフタイム期間と、前記ＯＦＤＭシンボル境界の後に第２の所定時間オフセットを持つオン期間とを有するタイミングマスクに従う、
請求項１６に記載の非一時的コンピュータ可読媒体。
【請求項１９】
前記命令は、
前記少なくとも１つのコンピュータによって実行されたとき、前記少なくとも１つのコンピュータに、
ＰＬＭＮ内ノードによるブロッキングを決定するために、前記送信のタイミングにバイアスをかけることを行わせる１つまたは複数の命令をさらに備える、
請求項１６に記載の非一時的コンピュータ可読媒体。
【請求項２０】
前記命令は、前記少なくとも１つのコンピュータによって実行されたとき、前記少なくとも１つのコンピュータに、
前記モニタすることに基づいてクリアチャネルを検出することに応答して、ＣＣＡのために移動局に割り当てられたスロットでのビーコンの送信のために最大電力に調整することを行わせる１つまたは複数の命令をさらに備える、
請求項１６に記載の非一時的コンピュータ可読媒体。
【請求項２１】
アクセスポイントがＬＴＥ−Ｕにおいてタイミングアドバンスを実行するための方法であって、
複数の移動局の各々から、タイミング情報を備える少なくとも１つのメッセージを受信することと、
前記受信したタイミング情報を使用して、前記複数の移動局間のタイミング差を減少させることに基づいて、少なくとも１つの移動局のためにチャネル使用ビーコン信号（ＣＵＢＳ）送信および関連するクリアチャネルアセスメント（ＣＣＡ）ウィンドウのための少なくとも１つのタイミングアドバンスパラメータを決定することと
を備える方法。
【請求項２２】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項２１に記載の方法。
【請求項２３】
ＣＵＢＳの送信タイミングは、ＰＵＳＣＨの送信タイミングとは異なり、前記方法は、
同じ移動局に少なくとも２つのタイミングアドバンスコマンドを送信することをさらに備える、
請求項２１に記載の方法。
【請求項２４】
ＣＵＢＳの送信タイミングは、ＰＵＳＣＨからの送信タイミングと同じである、
請求項２１に記載の方法。
【請求項２５】
前記アクセスポイントで、ＬＴＥ−ＵにおいてＣＣＡを実行する必要がある移動局のためにアップリンク電力制御を実行することをさらに備え、前記実行することは、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を備える、請求項２１に記載の方法。
【請求項２６】
前記電力マージンは、アンテナ利得差にパスロス差を加えたものにさらに基づく、
請求項２５に記載の方法。
【請求項２７】
前記スロープは、ＣＵＢＳ送信が小さいパスロスを持つ、および大きいパスロスを持つ移動局に対して同様の電力レベルを有するように決定される、
請求項２５に記載の方法。
【請求項２８】
前記スロープは、ＣＵＢＳ送信がより小さいパスロスを持つ移動局に対してより高い電力を有するように決定される、
請求項２５に記載の方法。
【請求項２９】
ＬＴＥ−Ｕにおいてタイミングアドバンスを実行するための装置であって、
複数の移動局の各々から、タイミング情報を備える少なくとも１つのメッセージを受信するための手段と、
前記受信したタイミング情報を使用して、前記複数の移動局間のタイミング差を減少させることに基づいて、少なくとも１つの移動局のためにチャネル使用ビーコン信号（ＣＵＢＳ）送信および関連するＣＣＡウィンドウのための少なくとも１つのタイミングアドバンスパラメータを決定するための手段と
を備える装置。
【請求項３０】
ＬＴＥ−ＵにおいてクリアチャネルアセスメントＣＣＡを実行する必要がある移動局のためにアップリンク電力制御を実行するための手段をさらに備え、前記実行するための手段は、
ＣＣＡ電力しきい値に基づいたＣＵＢＳ送信のためのターゲット受信電力、および近隣アクセスポイントの移動局に基づいた電力マージンを決定するための手段と、
ＣＵＢＳ送信のために推定パスロスに応じて送信電力のスロープを決定するための手段と、
前記決定されたターゲット受信電力、および前記決定されたスロープを前記移動局に送るための手段と
を備える、請求項２９に記載の装置。
【請求項３１】
ＬＴＥ−Ｕにおいてタイミングアドバンスを実行するための装置であって、
複数の移動局から、タイミング情報を備える少なくとも１つのメッセージを受信するために構成された少なくとも１つのトランシーバと、
前記受信したタイミング情報を使用して、前記複数の移動局間のタイミング差を減少させることに基づいて、少なくとも１つの移動局のためにチャネル使用ビーコン信号（ＣＵＢＳ）送信および関連するＣＣＡウィンドウのための少なくとも１つのタイミングアドバンスパラメータを決定するために構成された少なくとも１つのプロセッサと、
前記少なくとも１つのプロセッサに結合された、データを記憶するためのメモリと
を備える装置。
【請求項３２】
前記少なくとも１つのプロセッサは、ＬＴＥ−ＵにおいてクリアチャネルアセスメントＣＣＡを実行する必要がある移動局のためにアップリンク電力制御を実行するためにさらに構成され、
前記アップリンク電力制御を実行するとき、前記プロセッサは、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと
を行うために構成される、請求項３１に記載の装置。
【請求項３３】
前記少なくとも１つのトランシーバは、前記決定されたターゲット受信電力、および前記決定されたスロープを前記移動局に送るためにさらに構成される、
請求項３２に記載の装置。
【請求項３４】
命令を記憶した非一時的コンピュータ可読媒体であって、前記命令は
少なくとも１つのコンピュータによって実行されたとき、前記少なくとも１つのコンピュータに、
複数の移動局の各々から、タイミング情報を備える少なくとも１つのメッセージを受信することと、
前記受信したタイミング情報を使用して、前記複数の移動局間のタイミング差を減少させることに基づいて、少なくとも１つの移動局のためにチャネル使用ビーコン信号（ＣＵＢＳ）送信および関連するＣＣＡウィンドウのための少なくとも１つのタイミングアドバンスパラメータを決定することと
を行わせる１つまたは複数の命令を備える、
非一時的コンピュータ可読媒体。
【請求項３５】
前記命令は、
前記少なくとも１つのコンピュータによって実行されたとき、前記少なくとも１つのコンピュータに、
ＣＣＡ電力しきい値に基づいたＣＵＢＳ送信のためのターゲット受信電力、および近隣アクセスポイントの移動局に基づいた電力マージンを決定することと、
ＣＵＢＳ送信のために推定パスロスに応じて送信電力のスロープを決定することと、
前記決定されたターゲット受信電力、および前記決定されたスロープを前記移動局に送ることと
を行わせる１つまたは複数の命令をさらに備える、
請求項３４に記載の非一時的コンピュータ可読媒体。
【請求項３６】
前記電力マージンは、アンテナ利得差にパスロス差を加えたものにさらに基づく、
請求項３５に記載の非一時的コンピュータ可読媒体。
【請求項３７】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項３４に記載の非一時的コンピュータ可読媒体。
【請求項３８】
ＣＵＢＳの送信タイミングは、ＰＵＳＣＨの送信タイミングとは異なり、
前記命令は、
前記少なくとも１つのコンピュータによって実行されたとき、前記少なくとも１つのコンピュータに、
同じ移動局に少なくとも２つのタイミングアドバンスコマンドを送信すること
を行わせる１つまたは複数の命令をさらに備える、
請求項３４に記載の非一時的コンピュータ可読媒体。
【請求項３９】
前記スロープは、ＣＵＢＳ送信が小さいパスロスを持つ、および大きいパスロスを持つ移動局に対して同様の電力レベルを有するように決定される、
請求項３０に記載の装置。
【請求項４０】
ＣＵＢＳの送信タイミングは、ＰＵＳＣＨからの送信タイミングと同じである、
請求項２９に記載の装置。
【請求項４１】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項２９に記載の装置。
【請求項４２】
ＣＵＢＳの送信タイミングは、ＰＵＳＣＨの送信タイミングとは異なる、
請求項２９に記載の装置。
【請求項４３】
前記装置は、
同じ移動局に少なくとも２つのタイミングアドバンスコマンドを送信することをさらに備える、
請求項２９に記載の装置。
【請求項４４】
前記スロープは、ＣＵＢＳ送信が小さいパスロスを持つ、および大きいパスロスを持つ移動局に対して同様の電力レベルを有するように決定される、
請求項３２に記載の装置。
【請求項４５】
前記少なくとも１つのメッセージは、ランダムアクセスプリアンブルまたは前記タイミング情報を備える少なくとも１つのＲｘ−Ｔｘタイミング差レポートのうちの少なくとも１つを備える、
請求項３１に記載の装置。
【請求項４６】
ＣＵＢＳの送信タイミングは、ＰＵＳＣＨからの送信タイミングと同じである、
請求項３１に記載の装置。